(57)【要約】【課題】ブラインドのスラットの傾斜を目視によって正確に確認することができない場合であっても、スラットが所望の傾斜になったどうかを確認することができるブラインドを提供する。【解決手段】ヘッドボックス１２の外側に、ヘッドボックス１２内に配置されると共にラダーコード１６の一端が連結される回転軸２２の回転に伴って動作して、スラット１８の回転角度を表示する角度表示部４０を設ける。角度表示部４０は、回転軸２２と少なくともスラット１８を回転させる回転角度範囲で一体回転可能な一対の回転体２０に両端がそれぞれ連結され、回転体２０の回転方向に伴ってヘッドボックス１２の長手方向に移動可能な移動部材３６と、該移動部材３６の移動位置を表す固定のマーク部３８と、からなる。【選択図】  図４
2004169274.tif 000002
【特許請求の範囲】
【請求項１】
ヘッドボックス（１２）から垂下するラダーコード（１６）によって複数のスラット（１８）が整列状態に支持され、ヘッドボックス（１２）から垂下する操作部（２６）を操作することによって、ヘッドボックス（１２）内に配置されると共にラダーコード（１６）の一端が連結される回転軸（２２）を回転駆動し、その回転軸（２２）の回転によりスラット（１８）の傾斜を可変にするブラインドにおいて、
ヘッドボックス（１２）に、回転軸（２２）の回転に伴って動作し、スラット（１８）の回転角度を表示する角度表示部（４０）を配設することを特徴とするブラインド。
【請求項２】
前記角度表示部（４０、４６）は、回転軸（２２）に互いに長手方向に離間して設けられる一対の回転体（２０）に両端がそれぞれ連結され、回転体（２０）の回転に伴ってヘッドボックス（１２）の長手方向に移動可能な移動部材（３６、４２）と、該移動部材（３６、４２）の移動位置を表す固定のマーク部（３８、４４）と、からなることを特徴とする請求項１記載のブラインド。
【請求項３】
前記移動部材（３６、４２）には、ポインター（３６ａ、４２ｂ）が設けられ、前記角度表示部（４０、４６）は、前記マーク部（３８、４４）に対するポインター（３６ａ、４２ｂ）の相対位置により、スラット（１８）の回転角度を表すことを特徴とする請求項２記載のブラインド。
【発明の詳細な説明】
【０００１】
【発明の属する技術分野】
本発明は、ブラインドに関する。
【０００２】
【従来の技術】
従来、ブラインドは、ヘッドボックスから垂下するラダーコードによって複数のスラットが整列状態に支持され、ヘッドボックスから垂下する操作部を操作することによって、ヘッドボックス内に配置されると共にラダーコードの一端が連結される回転軸を回転駆動し、その回転軸の回転によりスラットの傾斜を変更させることができる。
【０００３】
通常、スラットの回転角度を変更する場合、操作者の目の前にあるスラットを直接目視しながら、操作部を操作して、適当なスラットの回転角度になるようにスラットの傾斜を調整している。
【０００４】
しかしながら、ブラインドの取付位置によっては、スラットを直接目視してもスラットの傾斜を正しく判別することができない場合がある。ブラインドを高窓の上の方に取り付けた場合などは、ブラインドを下方から見上げることになるために、正確なスラットの回転角度を確認することは難しい。また、例えば、特許文献１に記載されたような上下にそれぞれスラット群を有し、各スラット群毎に、別々にスラットの回転角度を変えることができる上下部分開閉型ブラインドの場合、上のスラット群の位置が高い場合には、下のスラット群についてはスラットの回転角度を正確に確認することができても、上のスラット群についてはスラットの回転角度を正確に確認することは難しい。
【０００５】
【特許文献１】
実公昭６２−３５１７号公報
【０００６】
【発明が解決しようとする課題】
電子制御された電動ブラインドのように、スラットの回転角度を検出するセンサを有し、スラットを電動で回転駆動させる構成の場合には、コントローラで予めスラット回転角度を設定すると、センサによって検出されるスラットの回転角度が設定されたスラット回転角度と等しくなるように、スラットを自動的に駆動させるので、目視によって正確にスラットの回転角度を確認することができなくとも、所望のスラットの回転角度にスラットを傾斜させることができる。しかしながら、電子制御された電動ブラインドではない場合、特にブラインドを高窓に取付けた場合には、ブラインドを最も降下させた状態でもスラットが目の高さまで降下せず、スラットの傾斜を目視によって正確に確認することができないと、果たしてスラットを所望の傾斜にすることができたか確認することができないという問題がある。
【０００７】
本発明はかかる課題に鑑みなされたもので、その目的は、ブラインドのスラットの傾斜を目視によって正確に確認することができない場合であっても、スラットが所望の傾斜になったかどうかを確認することができるブラインドを提供することである。
【０００８】
【課題を解決するための手段】
前述した目的を達成するために、本発明は、ヘッドボックスから垂下するラダーコードによって複数のスラットが整列状態に支持され、ヘッドボックスから垂下する操作部を操作することによって、ヘッドボックス内に配置されると共にラダーコードの一端が連結される回転軸を回転駆動し、その回転軸の回転によりスラットの傾斜を可変にするブラインドにおいて、ヘッドボックスに、回転軸の回転に伴って動作し、スラットの回転角度を表示する角度表示部を配設することを特徴とする。
【０００９】
この構成によって、スラットの傾斜を直接の目視によって把握することができなくても、ヘッドボックスに設けられた角度表示部を目視することにより、スラットの回転角度が分かるようになる。この角度表示を見ながら操作部を操作することによって、所望のスラットの回転角度に調整することができる。回転軸の回転を利用してスラットの回転角度を表示するようにしたので、簡単な構成で角度表示部を実現することができる。
【００１０】
請求項２記載の発明は、請求項１記載の前記角度表示部は、回転軸に互いに長手方向に離間して設けられる一対の回転体に両端がそれぞれ連結され、回転体の回転に伴ってヘッドボックスの長手方向に移動可能な移動部材と、該移動部材の移動位置を表す固定のマーク部と、からなることを特徴とする。
【００１１】
この構成により、回転体の回転移動量を移動部材のヘッドボックスの長手方向の移動に変換するので、スラットの回転角度を移動部材のマーク部に対する直線状の相対移動として表すことができ、遠くからでも分かりやすいものとすることができる。
【００１２】
請求項３記載の発明は、請求項２記載の前記移動部材には、ポインターが設けられ、前記角度標示部は、前記マーク部に対するポインターの相対位置により、スラットの回転角度を表示することを特徴とする。
【００１３】
この構成により、ポインターの位置により、ブラインドから遠く離れていても、簡単にスラットの回転角度を判別することができるようになる。ポインターを目立つように構成することにより、より一層、角度表示部を見やすいものとすることができる。
【００１４】
【発明の実施の形態】
以下、図面を用いて本発明の実施の形態を説明する。
【００１５】
図１は、本発明の実施形態に係る横型ブラインドを表す斜視図である。この図示した横型ブラインド１０は、壁面または天井面等の固定部にブラケット１１を介して取り付けられるヘッドボックス１２を有しており、ヘッドボックス１２から垂下する複数の梯子状のラダーコード１６によって、多数段のスラット１８が整列状態に支持されている。この例では、横型ブラインド１０は高窓の高い部分の遮蔽を行うためのものとする。
【００１６】
ラダーコード１６の一端は、最下段のスラット１８の下方に配置されるボトムレール１９に連結される。また、ヘッドボックス１２から垂下する複数の昇降コード１４の一端がボトムレール１９に連結されている。
【００１７】
ヘッドボックス１２内には、回転軸２２が回転可能に軸支されてヘッドボックス１２内を長手方向に伸びており、その一端側は、ヘッドボックス１２の一端側に配置される回転伝達装置２４に連結される。回転伝達装置２４からは操作部である操作コード２６が垂下される。回転伝達装置２４は、操作コード２６からの手動の操作力を伝達して、回転軸２２の回転を起こさせると共に、回転軸２２の自重等による回転を禁止する作用を果たしている。操作コード２６の下部は、ヘッドボックス１２から下方へと垂下されており、操作者が手の届く範囲まで伸びている。
【００１８】
回転軸２２には、前記複数の昇降コード１４及びラダーコード１６に対応して、長手方向に離間して複数の回転体であるドラム２０が設けられる。ドラム２０は、前記昇降コード１４の他端が巻取り、巻解き可能に取り付けられる巻取部３０と、前記ラダーコード１６の他端が取り付けられるクラッチバネ３２と、クラッチバネ３２が締め付け状態で巻回されるバネ受け部３４とを有している。バネ受け部３４及び巻取部３０のそれぞれの中心部には、前記回転軸２２が貫通しており、バネ受け部３４及び巻取部３０は回転軸２２と基本的に一体回転する。
【００１９】
図２に示したように、クラッチバネ３２の両端には、屈曲部３２ａ、３２ｂが形成されており、それぞれの屈曲部３２ａ、３２ｂには、梯子状のラダーコード１６の前側と後側の垂直コードの上端がそれぞれ連結されている。クラッチバネ３２は、バネ受け部３４が回転すると、バネ受け部３４に締め付けられているために、所定角度の範囲まではバネ受け部３４と共に回転する。所定角度範囲を超えると、屈曲部３２ａ及び屈曲部３２ｂのいずれか一方がドラム２０を受けるドラム台に設けられた規制部２１に当接して、クラッチバネ３２が緩んでバネ受け部３４と非結合となり、回転できないようになっている。こうして、クラッチバネ３２が所定角度範囲の中で回転軸２２と一体に回転することにより、クラッチバネ３２の屈曲部３２ａ及び屈曲部３２ｂのいずれか一方が他方の屈曲部に対して相対的に上下移動し、よって、ラダーコード１６の前側と後側のいずれか一方が、相対的に上下移動して、スラット１８が回転することができるようになっている。前記クラッチバネ３２の回転できる所定角度範囲は、スラット１８の回転できる回転角度範囲となる。
【００２０】
図３ないし図６に示したように、２つのドラム２０、２０に渡り、移動部材であるスライドコード３６が配設される。スライドコード３６の一端は、一方のドラム２０のクラッチバネ３２の屈曲部３２ａに連結され、スライドコード３６の他端は、他方のドラム２０のクラッチバネ３２の屈曲部３２ｂに連結される。スライドコード３６のドラム２０の連結地点は、クラッチバネ３２の屈曲部３２ａ、３２ｂに限ることはなく、他の任意の位置とすることができるが、スライドコード３６の一端と他端が、２つのドラム２０において、互いに異なる回転方向からドラム２０に連結される必要がある。即ち、スライドコード３６の一端が一方のドラム２０に対して時計回り方向から連結されれば、他端は他方のドラム２０に対して反時計回り方向から連結されるとよい。スライドコード３６の中間部は、案内コロによって誘導されて、ヘッドボックス１２の下面に形成された開口１２ａから導出されて、ヘッドボックス１２の下面に沿ってヘッドボックス１２の外側に配される。
【００２１】
スライドコード３６の中間部には、ポインター３６ａが設けられる。ポインター３６ａは、目立つように、スライドコード３６の他の部分と異なる目立つ色等が付されるなどするとよい。そして、ヘッドボックス１２の下方には、スライドコード３６に沿ってマーク部３８が設けられている。マーク部３８には、目盛りなどが表示されている。マーク部３８は、例えば、目盛りが印刷されたシール等によって構成することができ、該シールはヘッドボックス１２の下面に貼付される。
【００２２】
上記スライドコード３６の中間部及びマーク部３８によって、角度表示部４０が構成され、これらは、外方から視認可能なるように、ヘッドボックス１２の外側に配設される。
【００２３】
以上のように構成される横型ブラインド１０において、スラット１８の回転動作を行わせるためには、操作コード２６を引いて、回転軸２２を回転させる。回転軸２２を前記所定角度の範囲内で回転させると、前述のように、回転軸２２と一体回転可能となったバネ受け部３４と共にクラッチバネ３２が回転して、スラット１８が回転する。このときに、例えばクラッチバネ３２の屈曲部３２ａが下動したものとすると、クラッチバネ３２の屈曲部３２ｂは上動する。よって、スライドコード３６は、一方のクラッチバネ３２の屈曲部３２ａに連結された一端側部分がより、ヘッドボックス１２外へと導出され、他方のクラッチバネ３２の屈曲部３２ｂに連結された他端側部分がより、ヘッドボックス１２内へと導入される。こうしてスライドコード３６の中間部は、ヘッドボックス１２の下面に沿って移動し、そのポインター３６ａは、マーク部３８の目盛りに対して相対移動する。このポインター３６ａのマーク部３８の目盛りに対する相対位置が、スラット１８の回転角度に対応する（図５、図６参照）。例えば、スラット１８が水平となったとき、つまり、スラット１８の回転角度において中心になったときのポインター３６ａと重なり合う位置の目盛りを目立つように目立つ色等を付しておくと、スラット１８が水平となったことが、ヘッドボックス１２の下方の離れた位置からでも確認することができる。
【００２４】
こうしてスラット１８の回転角度を直接、目視で確認することができなくとも、所望のスラットの回転角度にスラットの傾斜を設定することができる。また、特許文献１のような上下部分開閉型ブラインドの場合でも、上のスラット群の回転角度を確認することができる。
【００２５】
操作コード２６をさらに引いて、回転軸２２を所定角度の範囲以上に回転させると、昇降コード１４がドラム２０の巻取部３０に巻き取られていくので、ボトムレール１９が上昇し、スラット１８が下方から順に上昇する。または、回転軸２２を逆方向に回転させた場合には、昇降コード１４がドラム２０の巻取部３０から巻き解かれていくので、ボトムレール１９が下降し、スラット１８が下降する。このとき、クラッチバネ３２はそれ以上回転しないため、スライドコード３６は移動することなく、ポインター３６ａはそのときのスラット１８の回転角度に対応するマーク部３８の目盛り位置を指示している。
【００２６】
以上の実施形態では、スラット１８を回転駆動させるための駆動部材である回転軸２２の運動を利用して、その回転軸２２と一体的に回転するドラム２０の回転量をスライドコード３６の移動量に機械的に変換させてポインター３６ａを移動させるようにしたために、簡単で且つ安価な構成で角度表示することができる。また、スライドコード３６の長手方向の直線状の移動として角度を表すため、遠くからでも分かりやすいものとすることができる。
【００２７】
尚、この例では、昇降コード１４の巻取り・巻解きを行う一対のドラム２０にスライドコード３６の両端を取り付けたが、これに限るものではなく、回転軸２２にスライドコード３６の両端を取り付けるための別の回転体であるドラムを設けることも可能である。また、好ましくは、この例で説明したように、ラダーコード１６を駆動させるために回転するクラッチバネ３２にスライドコード３６の両端を取り付けると良いが、これに限るものではなく、他の位置に取り付けることでもよい。その場合、所定回転角度を超えると、スラット１８の回転角度はそのままとなっているにも拘わらず、スライドコード３６は、回転軸２２の回転と共に継続して移動していくが、その場合には、スライドコード３６の両端を回転体に巻取り、巻解き可能に取り付け、また、所定回転角度を超えると、ポインター３６ａがマーク部３８の範囲から外れるようにすることで、対応することができる。
【００２８】
次に、図７は、本発明の第２の実施形態を表す要部図である。図において、ドラム２０または回転軸２２と前記スラット回転角度範囲に対応する所定角度の範囲で一体回転する移動部材である回転体４２が設けられている。つまり、回転体４２は、第１実施形態のクラッチバネと同様の構成とすることができ、回転軸２２と一体に回転可能であり、所定回転角度以上回転すると、それ以上の回転はできないようになっている。回転体４２の外周面から突出する突起４２ａがヘッドボックス１２の下面に形成された開口１２ｂから突出している。突起４２ａの先端は、ポインター４２ｂとなり、目立つように、目立つ色等が付されるとよい。開口１２ｂの近傍には、ヘッドボックス１２の幅方向に沿って、マーク部４４が設けられる。マーク部４４には、目盛りが印刷されたシール等によって構成することができ、該シールはヘッドボックス１２の下面に貼付される。スラット１８の水平になったときに対応する目盛りの中央部の位置は、目立つ色等を付しておくとよい。
【００２９】
上記突起４２ａ、即ち、回転体４２及びマーク部４４によって角度表示部４６が構成され、これらは、外方から視認可能なるように、ヘッドボックス１２の外側に配設される。
【００３０】
この第２実施形態においても、スラット１８の回転動作を行わせるために、操作コード２６を引いて、回転軸２２を前記所定角度の範囲内で回転させると、回転体４２の突起４２ａが回転軸２２と共に回転して、ポインター４２ｂがマーク部４４の目盛りに対して相対移動するので、このポインター４２ｂのマーク部４４の相対位置によって、スラット１８の回転角度を確認することができる。
【００３１】
尚、以上の実施形態において、マーク部３８、４４には、目盛りが設けられていたが、この場合、スラット１８の水平位置のみが分かればよい場合には、マーク部３８、４４が、その対応する位置に設けられた単一のマークを備えるものであってもよい。また、角度表示部４０、４６はヘッドボックス１２の正面側に配設することでもよい。また、以上の実施形態では、角度表示部をヘッドボックスの外側に配設していたが、これに限るものではなく、角度表示部をヘッドボックス外方から視認可能に配設すればよく、例えば、角度表示部をヘッドボックスの内側に配設して、ヘッドボックスの切欠等から視認可能なるようにしてもよい。
【００３２】
【発明の効果】
以上説明したように本発明によれば、スラットの傾斜を直接の目視によって把握することができなくても、ヘッドボックスに設けられた角度表示部を目視することにより、スラットの回転角度が分かるようになる。この角度表示を見ながら操作部を操作することによって、所望のスラットの回転角度に調整することができる。回転軸の回転を利用してスラットの回転角度を表示するようにしたので、簡単な構成で角度表示部を実現することができる。
【図面の簡単な説明】
【図１】本発明のブラインドの全体を表す斜視図である。
【図２】クラッチバネとスラットの回転との関係を表す図であり、（ａ）はスラットの水平状態、（ｂ）、（ｃ）はスラットが最大に回転した状態を表す。
【図３】回転軸、ドラム及びスライドコードとの関係を表す斜視図であり、スラットの平行状態を表す。ヘッドボックス、スラット等は省略している。
【図４】ブラインドの上部の一部の下方から見た図である。
【図５】スラットが最大に回転した状態を表す図３相当図である。
【図６】スラットが図５と反対方向に最大に回転した状態を表す図３相当図である。
【図７】本発明の第２の実施形態を表す要部図であり、（ａ−１）及び（ａ−２）はスラットの水平状態、（ｂ−１）、（ｂ−２）、（ｃ−１）（ｃ−２）はスラットが最大に回転した状態を表し、（ａ−１）、（ｂ−１）及び（ｃ−１）は、図２相当図、（ａ−２）、（ｂ−２）及び（ｃ−２）は、ヘッドボックス１２の一部底面図である。
【符号の説明】
１０  横型ブラインド
１２  ヘッドボックス
１６  ラダーコード
１８  スラット
２０  ドラム（回転体）
２２  回転軸
２６  操作コード（操作部）
３６  スライドコード（移動部材）
３６ａ  ポインター
３８、４４  マーク部
４０  角度表示部
４２  回転体（移動部材）
４２ｂ  ポインター
４６  角度表示部
【図１】
2004169274.tif 000003
【図２】
2004169274.tif 000004
【図３】
2004169274.tif 000005
【図４】
2004169274.tif 000006
【図５】
2004169274.tif 000007
【図６】
2004169274.tif 000008
【図７】
2004169274.tif 000009